(57)【要約】      （修正有）【課題】口金付き照明具とソケットの間の密着性を向上させて、雨水や結露水からソケット金具を保護可能な防水ソケットを提供する。【解決手段】防水カバー２は装着部１２と被覆部１３が一連に設けられたものであり、装着部をソケットの外周に被せて装着できる円筒状とし、装着部を照明具８の口金９側外周を被覆可能とする。すなわち、被覆部内周面に２本以上の防水突リング１４を設け、少なくとも１本の防水突リングを被覆部の裾側１５に設け、ソケットに装着された照明具の外周面に密接して被覆部の下端からその内部への液体の浸入を防止できるように、前記防水突リングを被覆部の内側に突設させた。防水突リングを、ソケットの下端開口部と照明具の口金との境界部分の外周に密接させられるように設けることもできる。防水カバーの被覆部は裾広がりにしてもよい。防水カバーに、照明具を保護するための保護体を取付け可能な取付け部を設けてもよい。【選択図】図１
0003170294.tif 000002
【実用新案登録請求の範囲】
【請求項１】
ソケットの外周に防水カバーが設けられた防水ソケットにおいて、防水カバーは装着部と被覆部が一連に設けられ、装着部はソケットの外周に被せて装着できる円筒状であり、装着部はソケットに装着された照明具の口金側外周を被覆可能であり、被覆部の内周面に２本以上の防水突リングが設けられ、そのうちの少なくとも１本の防水突リングは被覆部の裾側に設けられ、その防水突リングはソケットに装着された照明具の外周面に密接して被覆部の下端からその内部への液体の浸入を防止できるように、被覆部の内側に突設されたことを特徴とする防水ソケット。
【請求項２】
請求項１記載の防水ソケットにおいて、裾側の防水突リングよりも上方に設けられた防水突リングの少なくとも１本は、ソケットの下端開口部とソケットに装着された照明具の口金との境界部分の外周に密接して、当該境界部分への結露の発生と境界部分からソケット内への液体の浸入を防止できるように、被覆部の内側に突出して設けられたことを特徴とする防水ソケット。
【請求項３】
請求項１又は請求項２記載の防水ソケットにおいて、防水カバーの被覆部が裾広がりであることを特徴とする防水ソケット。
【請求項４】
請求項１乃至請求項３のいずれか１項記載の防水ソケットにおいて、ソケットに装着された照明具を保護する保護体が設けられたことを特徴とする防水ソケット。
【請求項５】
請求項１乃至請求項４のいずれか１項記載の防水ソケットにおいて、防水カバーに、ソケットに装着された照明具を保護する保護体を取付け可能な取付け部が設けられたことを特徴とする防水ソケット。
【考案の詳細な説明】
【技術分野】
【０００１】
本願考案は口金の付いた白熱電球や電球形のＬＥＤ照明具、電球形の蛍光灯など（以下「口金付き照明具」という。）を取付け可能なソケットに関し、特に、雨や結露から照明具を保護するための防水機能を備えた防水ソケットに関するものである。
【背景技術】
【０００２】
電球用ソケットは金属製のソケット金具の外周を樹脂やベークライト等の絶縁材で被覆してある。口金付き照明具はその口金が電球用ソケットにねじ込まれて、住宅の室内灯や玄関灯として広く使用されている。近年は花卉類（例えば、菊）や農作物といった各種植物の栽培用光源としても使用され、農業用ハウス（ビニルハウス）などの屋内のほか屋外（露地栽培）でも使用されている。電球用ソケットを屋外で使用する場合には、ソケット金具と口金の間に雨水が浸入することがあり、屋内で使用する場合にはソケット金具と口金の間に結露することがある。いずれの場合も、水分でソケット金具が錆びたり損傷したりし、その場合はソケットを交換しなければならない。電球用ソケットが植物栽培に使用される場合、通常、１．５ｍ程度の間隔で設置されるため、農業用ハウスや露地栽培の面積にもよるが、かなり多くの数が使用されている。ソケットが損傷すると交換する数が多くなり、植物栽培者の経済的負担が大きい。また、ソケットは多数個接続されているため、１個のソケットが損傷しても、交換時には他のソケットへの給電を停止しなければならないという面倒もある。
【０００３】
口金付き照明具を雨や結露から保護するための手段として、ソケットの外周に被覆体（カバー）を設けた照明装置が提案されている（特許文献１）。この照明装置の被覆体は、撥水性を有する樹脂で形成されたものであり、被覆体の裾側をソケット金具の下方まで長くして、その裾をソケットに装着した口金付き照明具の基体の外周面に密着させることによって防水構造にしたものである。
【先行技術文献】
【特許文献】
【０００４】
【特許文献１】特開２００１−７６５２８号公報
【０００５】
前記特許文献１記載の被覆体は弾性があるため、裾が照明具の基体外周面に密着し易く、防水効果があるが、雨水は下方から吹き上げることもあるため、被覆体の裾が照明具の外周にかなり強く密着していないと雨水が浸入するおそれがある。また、照明具の基体外周面への密着が低下すると、ハウス内或いは屋外の空気が照明具とソケットの間の隙間から浸入して、結露の原因になる。
【考案の概要】
【考案が解決しようとする課題】
【０００６】
本願考案の解決課題は、口金付き照明具とソケットの間の密着性を向上させて、雨水や結露水からソケット金具を保護することのできる防水ソケットを提供することにある。
【課題を解決するための手段】
【０００７】
本願考案の防水ソケットは、ソケットの外周に防水カバーが設けられた防水ソケットにおいて、防水カバーは装着部と被覆部が一連に設けられ、装着部はソケットの外周に被せて装着できる円筒状であり、装着部はソケットに装着された照明具の口金側外周を被覆可能であり、被覆部の内周面に２本以上の防水突リングが設けられ、そのうちの少なくとも１本の防水突リングは被覆部の裾側に設けられ、その防水突リングはソケットに装着された照明具の外周面に密接して被覆部の下端からその内部への液体の浸入を防止できるように、被覆部の内側に突設されたものである。
【０００８】
本願考案の前記防水ソケットは、裾側の防水突リングよりも上方に設けられた防水突リングの少なくとも１本を、ソケットの下端開口部とソケットに装着された照明具の口金との境界部分の外周に密接させ、当該境界部分への結露の発生と境界部分からソケット内への液体の浸入を防止できるように、被覆部の内側に突出して設けることができる。
【０００９】
本願考案の前記防水ソケットは、防水カバーの被覆部を裾広がりにすることもできる。
【００１０】
本願考案の前記防水ソケットには、ソケットに装着された照明具を保護する保護体を設けることもできる。
【００１１】
本願考案の前記防水ソケットは、防水カバーに、ソケットに装着された照明具を保護する保護体を取付け可能な取付け部を設けることもできる。
【考案の効果】
【００１２】
本願考案の防水ソケットには次のような効果がある。
（１）ソケット金具に装着された照明具の口金側の外周を被覆できる筒状の被覆部を備えているので、照明具への水分の浸入を防止できる。
（２）被覆部の内周面の少なくとも裾側とそれより上方の二以上の箇所に防水突リングを設け、それら防水突リングをソケット金具に装着された照明具の外周面に密接できるように被覆部の内側に突出して、被覆部の下端からその内部への液体の浸入を防止できるようにしたので、照明具への水分の浸入を少なくとも二重に防止することができ、防水が確実になる。
【図面の簡単な説明】
【００１３】
【図１】本願考案の防水ソケットに照明具を取り付けた状態を示す一部切欠きの正面図。
【図２】本願考案の防水ソケットの分解図。
【図３】防水突リングの他例を示すもので、（ａ）は断面形状を雪だるまを縦半分にしたような形状にした場合の部分拡大断面図、（ｂ）は断面形状を三角形状とした場合の部分拡大断面図、（ｃ）は断面形状を四角形状とした場合の部分拡大断面図、（ｄ）は断面形状を四角形状としてその先端側に半円状の窪みを設けた場合の部分拡大断面図。
【図４】防水カバーに照明具のバルブを保護するための保護体を取り付けた場合の一例を示す一部切欠きの正面図。
【図５】図２における保護体の斜視図。
【考案を実施するための形態】
【００１４】
本願考案の防水ソケットの実施形態の一例について、図１〜５を参照しながら説明する。
【００１５】
（ソケット）
図１に示す防水ソケットは、ソケット本体１とそれに被せた防水カバー２で構成される。ソケット本体１はソケット金具３と、ソケット金具３の外周に取付けた絶縁体４で構成される。ソケット金具３は電源コード５が配線された絶縁材製の基材６の底面に取付けられる。
【００１６】
（ソケット金具）
図１のソケット金具３は、既存のソケット金具と同様に通電可能な金属製の筒状であり、その内周面及び外周面に凹凸するネジ７が形成されており、そのネジ７に照明具８の口金９をねじ込んで装着でき、逆回転させると取外すことができるようにしてある（図２）。照明具８には白熱電球、電球形蛍光灯、ハロゲン電球、高輝度放電灯などを使用することができる。ソケット金具３は照明具８の口金９のサイズに応じて内径、長さ等が異なる各種サイズのものを用意しておくことができる。
【００１７】
（絶縁体）
図１の絶縁体４は硬質樹脂、ベークライト等の絶縁材で円筒状に成型されており、その内周面にネジ１０が形成され、そのネジ１０をソケット金具３の外周面のネジ７に嵌合させてソケット金具３の外周面に取付けてある（図２）。絶縁体４もソケット金具３のサイズに応じて内径、長さ等の異なる各種サイズのものを用意しておくことができる。
【００１８】
（防水カバー）
図１の防水カバー２は絶縁体４から照明具８のバルブ（電球の種類によって呼び方が異なり、白熱電球ではバルブ、電球形型蛍光灯ではグローブと呼ばれているが、本願ではそれらを「バルブ」という。）１１までの外周をカバーして、ソケット金具３内及びそれに取付けた照明具８の口金９部分への雨水の浸入を防止すると共に、ソケット金具３とそれに取付けた照明具８の口金９との境界部分に結露が発生するのを防止するためのものである。
【００１９】
図１の防水カバー２はソケット金具３とそれに装着された照明具８の外周をカバーしてそれらの外周を防水するものであり、図２に示すように、絶縁体４の外周に被せることのできる筒状の嵌合部１２の下方に被覆部１３がゴムとか樹脂等の防水材で一連に成型されている。嵌合部１２は絶縁体４の外周よりやや小さな内径にして、絶縁体４の外周に密着して被せられるようにしてある。
【００２０】
図１の被覆部１３は多少裾広がりにして照明具８のバルブ１１の外周に被せ易くしてある。被覆部１３の内周面の少なくとも２カ所に防水突リング１４を設けてある。夫々の防水突リング１４は被覆部１３の内周面から内側に突設されている。一つの防水突リング１４ａは被覆部１３の裾１５のやや上に設けて前記バルブ１１の外周面に密接して、裾１５の下方からの雨水や他の水分の浸入を防止できるようにしてある。防水突リング１４ａよりも上側の防水突リング１４ｂは、ソケット本体１の下端開口部１６とソケット金具３に装着された照明具８の口金９の境界部分又はそれよりやや下に密接してその境界部分への結露の発生を防止でき、境界部分からの雨水や他の水分の浸入を防止できるようにしてある。
【００２１】
図１に示す防水カバー２に設けられた防水突リング１４は２本であるが、防水突リング１４の本数は３本以上であってもよい。防水突リング１４の突設箇所も防水に適する任意の箇所とすることができる。
【００２２】
図１及び図２に示した防水突リング１４は断面形状が半円状であるが、他の断面形状とすることもできる。例えば、図３（ａ）に示すような断面形状が雪だるまを半分にしたような連続形状のもの、図３（ｂ）に示すような断面形状が三角形状のもの、図３（ｃ）に示すような断面形状四角形状のもの、図３（ｄ）に示すような断面形状四角形状であって、その先端側に半円状の窪み１４ｃを設けた形状のもの等とすることができる。
【００２３】
（基材）
図１の基材６はソケット金具３を取り付け可能な絶縁材製の台座１７と、台座１７の上に被せて台座１７を被覆する絶縁材製の台座カバー１８とを備えている。台座１７の裏面（下面）にソケット金具３が取付けられ、台座１７の表面（上面）にソケット金具３と導通可能に設けられたターミナルに電源コード５が配線されてソケット金具３に通電できるようにしてある。基材６は樹脂、ゴム等の絶縁材製のものが好ましい。
【００２４】
前記台座カバー１８は台座１７に取り付けられた電源コード５を埃や塵などから保護するためのものであり、底面側に突設された係止爪１９によって台座１７に取り付けられている。台座１７と台座カバー１８は不用意に外れないようにネジなどの固定手段によって固定することもできる。台座カバー１８の外周には、電源コード５を基材６の外部に引き出すための引出し溝（図示しない）が形成されている。台座カバー１８の頭部には係止孔２０が開口され、その係止孔２０にフック（係止具）２１が取り付けられ、そのフック２１により照明具８を任意の箇所に吊り下げることができるようにしてある。
【００２５】
（保護体）
本願考案の防水ソケットには、図４に示すような保護体２２を設けることもできる。図４の保護体２２は、環状の上フレーム２３と、上フレーム２３から下向きに設けられた複数本の保護柵２４と、当該複数本の保護柵２４の下端側を保持する環状の下フレーム２５とから構成されている。上フレーム２３には上フレーム２３の両端部を折り曲げて対向させた固定部２６が設けられ、その固定部２６を締めネジ２７で締め付けることによって、上フレーム２３をソケット本体３や防水カバー２の外周に取り付けられるようにしてある。図２では、保護体２２を防水カバー２の外周に突設されたフランジ２８に係止して、不用意に落下しないようにしてある。
【００２６】
保護体２２は他の手段によって取り付けられるようにしてもよい。例えば、防水カバー２の外周に突設されたフランジ２８に小孔（図示しない）を形成するとともに、保護体２２の上フレーム２３に前記小孔に係止可能な係止フックを設け、前記小孔に上フレーム２３の係止フックを係止することによって、保護体２２を防水カバー２に取り付けられるようにすることができる。
【００２７】
（使用例）
本願考案の防水ソケットは、例えば次のように使用する。
（１）基材６にソケット本体１（ソケット金具３の外周に絶縁体４を取り付けたもの）を取り付ける。このとき、防水カバー２はソケット本体１の外周に装着しておくことも、あとから装着することもできる。
（２）基材６に取り付けたソケット本体１の開口部側（下端側）から照明具８を挿入し、照明具８の口金９をソケット本体１のソケット金具３に螺合する。このとき、照明具８をソケット本体１内に螺合し、防水カバー２の内面に設けられた上側の防水突リング１４ａを、ソケット本体１の下端開口部１６とソケット金具３に装着された照明具８の口金９の境界部分又はそれよりやや下に密接させる。
（３）防水カバー２の外周に設けられたフランジ２８の上に、保護体２２の上フレームの下端をセットし、固定部２６を締めネジ２７で締めつけて、保護体２２を防水カバー２の外周に取り付ける。このとき、保護体２２の保護柵２４が照明具８のバルブ１１を保護できるよう、保護体２２の取付け位置を調整する。保護体２２は設けなくてもよい。
【産業上の利用可能性】
【００２８】
本願考案の防水ソケットは、花卉類（例えば、菊）や農作物といった各種植物の栽培用光源（特にＬＥＤを光源とするもの）を取り付けるためのソケットとして利用するほか、既存の口金付き照明具を取り付けるソケットとしても利用することができる。例えば、トンネルや道路などの工事現場で使用される照明具の取付けに使用する場合、防水のみならず防塵効果も見込める。本願考案の防水ソケットは、液体や粉体（粉塵）などのソケット内への浸入を防止することができるソケットとして、上記以外のあらゆる場面で利用することができる。
【符号の説明】
【００２９】
１    ソケット本体
２    防水カバー
３    ソケット金具
４    絶縁体
５    電源コード
６    基材
７    ネジ
８    照明具
９    口金
１０    （絶縁体内周面の）ネジ
１１    バルブ
１２    （防水カバーの）嵌合部
１３    （防水カバーの）被覆部
１４    防水突リング
１４ａ  （裾側の）防水突リング
１４ｂ  （上側の）防水突リング
１４ｃ  （防水突リング先端側の）窪み
１５    裾
１６    （ソケット本体の）下端開口部
１７    台座
１８    台座カバー
１９    係止爪
２０    係止孔
２１    フック（係止具）
２２    保護体
２３    上フレーム
２４    保護柵
２５    下フレーム
２６    固定部
２７    締めネジ
２８    フランジ
【図１】
0003170294.tif 000003
【図２】
0003170294.tif 000004
【図３】
0003170294.tif 000005
【図４】
0003170294.tif 000006
【図５】
0003170294.tif 000007